【手続補正書】
【提出日】平成25年11月21日(2013.11.21)
【手続補正１】
【補正対象書類名】明細書
【補正対象項目名】０００６
【補正方法】変更
【補正の内容】
【０００６】
前記課題を解決するため、請求項１記載の発明に係る動画像生成装置にあっては、使用者の動作状態を予め決められた複数の動作種別のいずれかに分類する分類手段と、前記分類手段により分類された行動種別に対応する使用者の動作状態を、使用者を表すキャラクタの動きにより表現した動画像を選択する選択手段と、使用者の動作状態を逐次取得するとともに前記分類手段により逐次分類し、この逐次分類される行動種別の変化に応じて、当該行動種別と、当該行動種別に分類される動作状態が取得された時間に関する情報とを対応付けて逐次記録する記録制御手段と、前記記録制御手段により記録された複数の行動種別の各々に対応する動画像を前記選択手段により選択するとともに、各々の行動種別に対応付けられている時間に関する情報に従った順番または長さで各動画像を連結した行動履歴動画を生成する動画像生成手段とを備えたことを特徴とする。
【手続補正２】
【補正対象書類名】明細書
【補正対象項目名】０００７
【補正方法】変更
【補正の内容】
【０００７】
また、請求項２記載の発明に係る動画像生成装置にあっては、前記記録制御手段は、前記行動種別と、当該行動種別に分類される動作状態が取得された時刻および当該行動種別に分類される動作状態が継続している期間の長さの情報とを対応付けて逐次記録し、前記動画像生成手段は、前記記録制御手段により記録された複数の行動種別の各々に対応する動画像を前記選択手段により選択するとともに、各々の行動種別に対応付けられている期間の長さに応じて各動画像の長さを調整し、調整後の各動画像を、各々の行動種別に対応付けられている時刻に従った順番で連結した行動履歴動画を生成することを特徴とする。
【手続補正３】
【補正対象書類名】明細書
【補正対象項目名】０００８
【補正方法】変更
【補正の内容】
【０００８】
また、請求項３記載の発明に係る動画像生成装置にあっては、前記動画像生成手段は、連結後の行動履歴動画の再生時間が予め決められた長さになるように、各々の行動種別に対応付けられている期間の長さの比に応じて各動画像の長さを調整して連結することを特徴とする。
【手続補正４】
【補正対象書類名】明細書
【補正対象項目名】０００９
【補正方法】変更
【補正の内容】
【０００９】
また、請求項４記載の発明に係る動画像生成装置にあっては、各行動種別に分類される動作状態が取得された状況に基づいて、前記行動履歴動画を構成する個々の動画像の重要度を判断する判断手段を備え、前記動画像生成手段は、前記判断手段により判断された個々の動画像の重要度に応じて、重要度がより高い動画像ほど長くなるように各動画像の長さを調整して連結することを特徴とする。
【手続補正５】
【補正対象書類名】明細書
【補正対象項目名】００１０
【補正方法】変更
【補正の内容】
【００１０】
また、請求項５記載の発明に係る動画像生成装置にあっては、前記記録制御手段は、前記行動種別と、当該行動種別に分類される動作状態が取得された場所に関する情報とを対応付けて逐次記録し、前記動画像生成手段は、前記記録制御手段により記録された複数の行動種別の各々に対応する動画像を前記選択手段により選択するとともに、各々の行動種別に対応付けられている場所に関する情報に応じて各動画像に対応する背景画像を選択し、この選択される各背景画像を各動画像に合成し、合成後の各動画像を連結した行動履歴動画を生成することを特徴とする。
【手続補正６】
【補正対象書類名】明細書
【補正対象項目名】００１１
【補正方法】変更
【補正の内容】
【００１１】
また、請求項６記載の発明に係る動画像生成装置にあっては、使用者の行動予定を示す行動予定情報であり、時刻と行動種別とを対応付けた行動予定情報を記憶する行動予定記憶手段を備え、
前記分類手段は、使用者の動作状態を、当該動作状態が取得された時刻に対応して前記行動予定記憶手段に記憶されている行動種別を参照することで、予め決められた複数の動作種別のいずれかに分類することを特徴とする。
【手続補正７】
【補正対象書類名】明細書
【補正対象項目名】００１２
【補正方法】変更
【補正の内容】
【００１２】
また、請求項７記載の発明に係る動画像生成装置にあっては、前記記録制御手段は、逐次分類される行動種別が変化する毎に、当該行動種別と、当該行動種別に分類される動作状態が取得された時間に関する情報とを対応付けて行動履歴情報として順に記憶することを特徴とする。
【手続補正８】
【補正対象書類名】明細書
【補正対象項目名】００１３
【補正方法】変更
【補正の内容】
【００１３】
また、請求項８記載の発明に係る動画像生成装置にあっては、装置本体の３軸方向の加速度を検出する加速度検出手段を備え、前記分類手段は、前記加速度検出手段により検出された３軸方向の加速度に基づいて使用者の動作状態を特定し、この特定された動作状態を前記複数の動作種別のいずれかに分類することを特徴とする。
【手続補正９】
【補正対象書類名】明細書
【補正対象項目名】００１４
【補正方法】変更
【補正の内容】
【００１４】
また、請求項９記載の発明に係る動画像生成装置にあっては、前記動画像生成手段により生成された行動履歴動画を記録または表示する制御手段を備えたことを特徴とする。
【手続補正１０】
【補正対象書類名】明細書
【補正対象項目名】００１５
【補正方法】変更
【補正の内容】
【００１５】
また、請求項１０記載の発明に係る動画像生成方法にあっては、使用者の動作状態を予め決められた複数の動作種別のいずれかに分類する分類処理と、前記分類処理により分類された行動種別に対応する使用者の動作状態を、使用者を表すキャラクタの動きにより表現した動画像を選択する選択処理と、使用者の動作状態を逐次取得するとともに前記分類処理により逐次分類し、この逐次分類される行動種別の変化に応じて、当該行動種別と、当該行動種別に分類される動作状態が取得された時間に関する情報とを対応付けて逐次記録する記録制御処理と、前記記録制御処理により記録された複数の行動種別の各々に対応する動画像を前記選択処理により選択するとともに、各々の行動種別に対応付けられている時間に関する情報に従った順番または長さで各動画像を連結した行動履歴動画を生成する動画像生成処理とを含むことを特徴とする。
【手続補正１１】
【補正対象書類名】明細書
【補正対象項目名】００１６
【補正方法】変更
【補正の内容】
【００１６】
また、請求項１１記載の発明に係るプログラムにあっては、コンピュータを、使用者の動作状態を予め決められた複数の動作種別のいずれかに分類する分類手段と、前記分類手段により分類された行動種別に対応する使用者の動作状態を、使用者を表すキャラクタの動きにより表現した動画像を選択する選択手段と、使用者の動作状態を逐次取得するとともに前記分類手段により逐次分類し、この逐次分類される行動種別の変化に応じて、当該行動種別と、当該行動種別に分類される動作状態が取得された時間に関する情報とを対応付けて逐次記録する記録制御手段と、前記記録制御手段により記録された複数の行動種別の各々に対応する動画像を前記選択手段により選択するとともに、各々の行動種別に対応付けられている時間に関する情報に従った順番または長さで各動画像を連結した行動履歴動画を生成する動画像生成手段として機能させることを特徴とする。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】特許請求の範囲
【補正対象項目名】全文
【補正方法】変更
【補正の内容】
【特許請求の範囲】
【請求項１】
使用者の動作状態を予め決められた複数の動作種別のいずれかに分類する分類手段と、
前記分類手段により分類された行動種別に対応する使用者の動作状態を、使用者を表すキャラクタの動きにより表現した動画像を選択する選択手段と、
使用者の動作状態を逐次取得するとともに前記分類手段により逐次分類し、この逐次分類される行動種別の変化に応じて、当該行動種別と、当該行動種別に分類される動作状態が取得された時間に関する情報とを対応付けて逐次記録する記録制御手段と、
前記記録制御手段により記録された複数の行動種別の各々に対応する動画像を前記選択手段により選択するとともに、各々の行動種別に対応付けられている時間に関する情報に従った順番または長さで各動画像を連結した行動履歴動画を生成する動画像生成手段と
を備えたことを特徴とする動画像生成装置。
【請求項２】
前記記録制御手段は、前記行動種別と、当該行動種別に分類される動作状態が取得された時刻および当該行動種別に分類される動作状態が継続している期間の長さの情報とを対応付けて逐次記録し、
前記動画像生成手段は、前記記録制御手段により記録された複数の行動種別の各々に対応する動画像を前記選択手段により選択するとともに、各々の行動種別に対応付けられている期間の長さに応じて各動画像の長さを調整し、調整後の各動画像を、各々の行動種別に対応付けられている時刻に従った順番で連結した行動履歴動画を生成することを特徴とする請求項１記載の動画像生成装置。
【請求項３】
前記動画像生成手段は、連結後の行動履歴動画の再生時間が予め決められた長さになるように、各々の行動種別に対応付けられている期間の長さの比に応じて各動画像の長さを調整して連結することを特徴とする請求項２記載の動画像生成装置。
【請求項４】
各行動種別に分類される動作状態が取得された状況に基づいて、前記行動履歴動画を構成する個々の動画像の重要度を判断する判断手段を備え、
前記動画像生成手段は、前記判断手段により判断された個々の動画像の重要度に応じて、重要度がより高い動画像ほど長くなるように各動画像の長さを調整して連結することを特徴とする請求項１乃至３のいずれかに記載の動画像生成装置。
【請求項５】
前記記録制御手段は、前記行動種別と、当該行動種別に分類される動作状態が取得された場所に関する情報とを対応付けて逐次記録し、
前記動画像生成手段は、前記記録制御手段により記録された複数の行動種別の各々に対応する動画像を前記選択手段により選択するとともに、各々の行動種別に対応付けられている場所に関する情報に応じて各動画像に対応する背景画像を選択し、この選択される各背景画像を各動画像に合成し、合成後の各動画像を連結した行動履歴動画を生成することを特徴とする請求項１乃至４のいずれかに記載の動画像生成装置。
【請求項６】
使用者の行動予定を示す行動予定情報であり、時刻と行動種別とを対応付けた行動予定情報を記憶する行動予定記憶手段を備え、
前記分類手段は、使用者の動作状態を、当該動作状態が取得された時刻に対応して前記行動予定記憶手段に記憶されている行動種別を参照することで、予め決められた複数の動作種別のいずれかに分類することを特徴とする請求項１乃至５のいずれかに記載の動画像生成装置。
【請求項７】
前記記録制御手段は、逐次分類される行動種別が変化する毎に、当該行動種別と、当該行動種別に分類される動作状態が取得された時間に関する情報とを対応付けて行動履歴情報として順に記憶することを特徴とする請求項１乃至６のいずれか記載の動画像生成装置。
【請求項８】
装置本体の３軸方向の加速度を検出する加速度検出手段を備え、
前記分類手段は、前記加速度検出手段により検出された３軸方向の加速度に基づいて使用者の動作状態を特定し、この特定された動作状態を前記複数の動作種別のいずれかに分類することを特徴とする請求項１乃至７のいずれか記載の動画像生成装置。
【請求項９】
前記動画像生成手段により生成された行動履歴動画を記録または表示する制御手段を備えたことを特徴とする請求項１乃至５いずれか記載の動画像生成装置。
【請求項１０】
使用者の動作状態を予め決められた複数の動作種別のいずれかに分類する分類処理と、
前記分類処理により分類された行動種別に対応する使用者の動作状態を、使用者を表すキャラクタの動きにより表現した動画像を選択する選択処理と、
使用者の動作状態を逐次取得するとともに前記分類処理により逐次分類し、この逐次分類される行動種別の変化に応じて、当該行動種別と、当該行動種別に分類される動作状態が取得された時間に関する情報とを対応付けて逐次記録する記録制御処理と、
前記記録制御処理により記録された複数の行動種別の各々に対応する動画像を前記選択処理により選択するとともに、各々の行動種別に対応付けられている時間に関する情報に従った順番または長さで各動画像を連結した行動履歴動画を生成する動画像生成処理と
を含むことを特徴とする動画像生成方法。
【請求項１１】
コンピュータを、
使用者の動作状態を予め決められた複数の動作種別のいずれかに分類する分類手段と、
前記分類手段により分類された行動種別に対応する使用者の動作状態を、使用者を表すキャラクタの動きにより表現した動画像を選択する選択手段と、
使用者の動作状態を逐次取得するとともに前記分類手段により逐次分類し、この逐次分類される行動種別の変化に応じて、当該行動種別と、当該行動種別に分類される動作状態が取得された時間に関する情報とを対応付けて逐次記録する記録制御手段と、
前記記録制御手段により記録された複数の行動種別の各々に対応する動画像を前記選択手段により選択するとともに、各々の行動種別に対応付けられている時間に関する情報に従った順番または長さで各動画像を連結した行動履歴動画を生成する動画像生成手段と
して機能させることを特徴とするプログラム。